【事件の表示】
　商願２０１０−８８２７７拒絶査定不服審判事件について、次のとおり審決する。
【結　論】
　原査定を取り消す。
　本願商標は、登録すべきものとする。
【理　由】
１　本願商標
　本願商標は、「ＲＥＸ」の欧文字を標準文字で表してなり、第１２類「運動性に関係した障害のある人のために多面的機能を提供するロボティックビークル及び装置を含む電動式パーソナルモビリィティビークル及び装置」を指定商品として、２０１０年（平成２２年）５月３１日ニュージーランド国においてした商標登録出願に基づきパリ条約第４条による優先権を主張して、平成２２年１１月１２日に登録出願されたものである。
　その後、本願の指定商品については、当審における平成２４年１０月９日受付の手続補正書により、第１２類「装置本体に備えられたジョイスティックにより操作するものであって事故等で下半身不随となった人の脚部及び腰部に装着して歩行の動作を補助するための装置，障がい者が操縦可能な多機能制御機能を有する電動式車椅子，障がい者が操縦可能な多機能制御機能を有する電動式スクーター」と補正されたものである。
　
２　原査定の拒絶の理由の要点
　原査定は、以下の（１）及び（２）の拒絶の理由をもって、本願を拒絶したものである。
（１）商標法第６条第１項及び第２項について
　本願に係る指定商品は、その内容及び範囲を明確に指定したものとは認められないものであり、また、そのため、本願は、政令で定める商品及び役務の区分に従って第１２類の商品を指定したものと認めることもできない。したがって、本願は、商標法第６条第１項及び第２項の要件を具備しない。
（２）  商標法第４条第１項第１１号について
　本願商標は、以下の登録商標と同一又は類似の商標であって、その商標に係る指定商品と同一又は類似の商品について使用するものであるから、商標法第４条第１項第１１号に該当する。
ア　登録第５９３５８２号の２商標（以下「引用商標１」という。）は、「ＲＥＸ」の欧文字を書してなり、昭和３６年４月１日に登録出願、第１２類「自動車、自動車の部品および附属品（但しタイヤ、チユ−ブを除く）」を指定商品として、同３７年７月１７日に設定登録され、その後、５回にわたり商標権の存続期間の更新登録がなされているものであり、さらに、平成１５年７月３０日に指定商品を第９類「消防車，自動車用シガーライター」、第１２類「自動車並びにその部品及び附属品（但しタイヤ、チューブを除く。）」及び第１３類「戦車」とする指定商品の書換登録がされたものである。
イ　登録第４８２６４７０号商標（以下「引用商標２」という。）は、「ＲＥＸ」の欧文字を書してなり、平成１５年６月２３日に登録出願、「乳母車，人力車，そり，手押し車，荷車，馬車，リヤカー」を含む第１２類、第７類ないし第１１類、第１６類、第１７類及び第２１類に属する商標登録原簿に記載のとおりの商品を指定商品として、同１６年１２月１７日に設定登録され、その後、登録異議の申立てにより、その指定商品中、第８類に属する商標登録原簿に記載のとおりの商品について取り消すべき旨の決定がされ、同１８年６月２３日にその確定決定の登録がされ、さらに、商標登録の取消し審判により、その指定商品中、第１２類「乳母車，人力車，そり，手押し車，荷車，馬車，リヤカー」について取り消すべき旨の審決がされ、同２４年７月１３日にその確定審決の登録がされたものである。
ウ　登録第５４１６８１７号商標（以下「引用商標３」という。）は、別掲のとおりの構成からなり、平成２１年９月２日に登録出願、「車いす，二輪自動車・自転車並びにそれらの部品及び附属品」を含む第１２類、「二輪自動車の小売又は卸売の業務において行われる顧客に対する便益の提供，自転車の小売又は卸売の業務において行われる顧客に対する便益の提供」を含む第３５類、第９類、第１４類ないし第１６類、第１８類、第２０類、第２５類、第２８類、第３７類及び第４０類に属する商標登録原簿に記載のとおりの商品及び役務を指定商品及び指定役務として、同２３年６月１０日に設定登録されたものである。
　
３　当審の判断
（１）商標法第６条第１項及び第２項について
　本願に係る指定商品は、前記１のとおり補正された結果、商品の内容及び範囲について明確なものとなり、かつ、本願は、政令で定める商品及び役務の区分に従って第１２類の商品を指定したものと認められるから、本願は、商標法第６条第１項及び第２項の要件を具備するものとなった。
（２）商標法第４条第１項第１１号について
ア　本願商標と引用商標１及び２との類否
　本願の指定商品は、前記１のとおり補正された結果、引用商標１及び２の指定商品と非類似の商品になったと認められるものである。
　したがって、本願商標と引用商標１及び２とは、商標の類否について論ずるまでもなく、その指定商品において互いに抵触しないものとなったから、本願商標が引用商標１及び２との関係において商標法第４条第１項第１１号に該当するとした拒絶の理由は、解消した。
イ　本願商標と引用商標３との類否
（ア）本願商標　　
　本願商標は、前記１のとおり、「ＲＥＸ」の欧文字を標準文字で表してなるところ、該文字は、辞典類においては、成語として掲載されているものの、特定の意味を有する語として認識されるほど一般に広く親しまれているとまではいい難いことからすれば、特定の意味を有しない造語として認識されるとみるのが相当である。
　そうとすると、本願商標は、その構成文字に相応して、「レックス」の称呼を称じ、特定の観念を生じることのないものである。
（イ）引用商標３
　引用商標３は、別掲のとおり、太線の矢印をもって表された円状の図形内の中央に、「Ｗｏｎｄｅｒ」及び「ＲＥＸ」の欧文字を上下二段に表してなるところ、その構成中の「ＲＥＸ」の文字は、「Ｗｏｎｄｅｒ」の文字に比して大きく表されているものの、両文字は、それぞれの横幅が揃うように配置され、かつ、同一の書体をもって表されていることから、視覚上、まとまりよく一体的なものとして看取、把握されるとみるのが相当である。
　また、上記両文字から生ずると認められる「ワンダーレックス」の称呼も、よどみなく一連に称呼し得るものである。
　さらに、「Ｗｏｎｄｅｒ」の文字が、引用商標３に係る指定商品との関係において、商品の品質等を表示する等、自他商品の識別標識としての機能を有しないものということはできないし、上記構成態様からなる引用商標３において、「ＲＥＸ」の文字部分のみに着目し、当該文字部分のみをもって取引に資するというべき特段の事情も見いだし得ない。
　してみれば、引用商標３は、その構成中の欧文字部分全体に相応する「ワンダーレックス」の称呼のみを生ずるものであり、また、該欧文字部分は、それ自体特定の意味合いを有するものとして認識されるとはいい難いことから、特定の観念を生じることのないものである。
（ウ）本願商標と引用商標３との対比
　本願商標と引用商標３とを比較すると、両者は、それぞれ上記のとおりの構成からなるものであるから、外観上、明らかに区別し得るものである。
　次に、本願商標から生ずる称呼「レックス」と引用商標３から生ずる称呼「ワンダーレックス」とを比較すると、両称呼は、その音構成及び構成音数において明確な差異を有するものであるから、それぞれ一連に称呼するときは、語調、語感が異なり、互いに聞き誤るおそれはない。
　さらに、本願商標と引用商標３とは、上記のとおり、ともに特定の観念を生じることのないものであるから、観念上、両者を比較することはできない。
（エ）小括
　以上によれば、本願商標と引用商標３とは、外観、称呼及び観念のいずれにおいても相紛れるおそれのない非類似の商標といわなければならない。
　したがって、本願商標は、商標法第４条第１項第１１号に該当するものではない。
（３）まとめ
　以上のとおり、本願が商標法第６条第１項及び第２項の要件を具備しないものとし、また、本願商標が商標法第４条第１項第１１号に該当するとして本願を拒絶した原査定は、取消しを免れない。
　その他、本願について拒絶の理由を発見しない。
　よって、結論のとおり審決する。